(57)【要約】【課題】意匠性及び水密性に優れた建具を提供する。【解決手段】建具２は、内周側から外周側に凹むとともに屋外側に開放された溝部２７が形成された框材２２または枠材と、溝部２７内に端部が配置されたガラス２８と、溝部２７の屋外側に設けられ、ガラス２８を屋内側に押圧する押縁３２と、を備え、押縁３２は、框材２２または枠材の屋外側の面の全部を覆う見付け面部３２１と、框材２２または枠材と嵌合可能な複数の嵌合部３３３，３３５と、を有し、複数の嵌合部３３３，３３５は、框材２２または枠材の内周側と外周側とを結ぶ方向に離間して配置されていることを特徴とする。【選択図】図２
2019173357.tif 000002
【特許請求の範囲】
【請求項１】
内周側から外周側に凹むとともに屋外側に開放された溝部が形成された框材または枠材と、
前記溝部内に端部が配置されたガラスと、
前記溝部の屋外側に設けられ、前記ガラスを屋内側に押圧する押縁と、を備え、
該押縁は、
前記框材または前記枠材の屋外側の面の全部を覆う見付け面部と、
前記框材または前記枠材と嵌合可能な複数の嵌合部と、を有し、
前記複数の嵌合部は、前記框材または前記枠材の前記内周側と前記外周側とを結ぶ方向に離間して配置されていることを特徴とする建具。
【請求項２】
前記複数の嵌合部のうち前記框材または前記枠材の前記内周側に配置された内周側嵌合部は、前記框材または前記枠材の前記溝部に嵌合する請求項１に記載の建具。
【請求項３】
前記複数の嵌合部のうち前記框材または前記枠材の前記外周側に配置された外周側嵌合部は、前記框材または前記枠材の外周側の端部に嵌合する請求項１または２に記載の建具。
【請求項４】
前記複数の嵌合部は、前記見付け面部の屋内側の面に設けられている請求項１から３のいずれか一項に記載の建具。
【発明の詳細な説明】
【技術分野】
【０００１】
本発明は、建具に関するものである。
【背景技術】
【０００２】
従来から、建具の障子として、框体と、框体に形成されたガラス溝に端部が配置されたガラスと、を備え、押縁がガラス溝内の屋外側に設けられ、ガラスの端部を屋内側に押圧してガラスを保持するように構成されたものが知られている（例えば、下記の特許文献１参照）。
【先行技術文献】
【特許文献】
【０００３】
【特許文献１】特開２０１８−１３０３８号公報
【発明の概要】
【発明が解決しようとする課題】
【０００４】
しかしながら、特許文献１に記載のような建具では、押縁と框体との境界（接続）部分が屋外側に露出しており、意匠性が悪いとともに、当該境界部分から雨水が浸入する虞があり水密性が悪いという問題点がある。
【０００５】
そこで、本発明は、上記事情に鑑みてなされたものであり、意匠性及び水密性に優れた建具を提供する。
【課題を解決するための手段】
【０００６】
上記目的を達成するために、本発明は以下の手段を採用している。
すなわち、本発明に係る建具は、内周側から外周側に凹むとともに屋外側に開放された溝部が形成された框材または枠材と、前記溝部内に端部が配置されたガラスと、前記溝部の屋外側に設けられ、前記ガラスを屋内側に押圧する押縁と、を備え、該押縁は、前記框材または前記枠材の屋外側の面の全部を覆う見付け面部と、前記框材または前記枠材と嵌合可能な複数の嵌合部と、を有し、前記複数の嵌合部は、前記框材または前記枠材の前記内周側と前記外周側とを結ぶ方向に離間して配置されていることを特徴とする。
【０００７】
このように構成された建具では、複数の嵌合部が框材または枠材と内周側と外周側とを結ぶ方向に離間した２箇所で嵌合することで、押縁が框材または枠材に取り付けられている。押縁の見付け面部が框材または枠材の屋外側の面の全部を覆うため、屋外側から見ると、框材または枠材は押縁に隠れて見えず、意匠性が良い。また、押縁と框材または枠材との境界部分が屋外側に露出することがないため、境界部分からの雨水の浸入を抑制して、水密性を高めることができる。
【０００８】
また、本発明に係る建具は、前記複数の嵌合部のうち前記框材または前記枠材の前記内周側に配置された内周側嵌合部は、前記框材または前記枠材の前記溝部に嵌合することが好ましい。
【０００９】
このように構成された建具では、内周側嵌合部は框材または枠材の溝部に嵌合するため、押縁の溝部内での位置ずれが抑制され、押縁がガラスを屋内側に押圧した状態を維持することができる。
【００１０】
また、本発明に係る建具は、前記複数の嵌合部のうち前記框材または前記枠材の前記外周側に配置された外周側嵌合部は、前記框材または前記枠材の外周側の端部に嵌合してもよい。
【００１１】
このように構成された建具では、外周側嵌合部は框材または枠材の外周側の端部に嵌合するため、押縁の外周側での位置ずれが抑制される。
【００１２】
また、本発明に係る建具は、前記複数の嵌合部は、前記見付け面部の屋内側の面に設けられていてもよい。
【００１３】
このように構成された建具では、複数の嵌合部は見付け面部の屋内側の面に設けられているため、複数の嵌合部は押縁の見付け面部に隠れて見えず、意匠性をさらに高めることができる。
【発明の効果】
【００１４】
本発明に係る建具によれば、意匠性及び水密性を良好とすることができる。
【図面の簡単な説明】
【００１５】
【図１】本発明の一実施形態に係る建具が閉じた状態を屋外側から見た正面図である。
【図２】本発明の一実施形態に係る建具の縦断面図である。
【図３】本発明の一実施形態に係る建具の横断面図である。
【図４】図２の上下方向の中間部の拡大図である。
【図５】本発明の一実施形態の変形例に係る建具の縦断面図における上下方向の中間部の拡大図である。
【発明を実施するための形態】
【００１６】
以下、本発明の一実施形態に係る建具の一例として段窓について、図１から図４に基づいて説明する。
図１は、本発明の一実施形態に係る建具が閉じた状態を屋外側から見た正面図である。
図１に示すように、本実施形態による段窓１００は、建築物に形成された開口部に取り付けられる段窓枠体１と、段窓枠体１内の上側に配置された突出し窓２と、段窓枠体１内の下側に配置されたＦＩＸ窓（嵌め殺し窓）３と、を備えている。突出し窓２は、障子２Ａの上端部を中心にして下端部を屋内外方向に回動させて段窓枠体１内を開放し、不図示のダンパーやワイヤー等により開閉が可能な、いわゆる排煙窓である。
なお、以下の説明において、屋外側と屋内側とを結ぶ方向を屋内外方向と称する。また、開口部が壁部を貫通する方向（壁部に対向する方向）から見た際の左側と右側を結ぶ水平方向を左右方向と称する。
【００１７】
段窓枠体１は、左右方向に延在する上枠１１及び下枠１２と、上枠１１の両端部と下枠１２の両端部とをそれぞれ連結し上下方向に延在する縦枠１３と、各縦枠１３の上下方向の中間どうしを連結する無目１４（図２参照。以下同じ。）と、有している。
【００１８】
ＦＩＸ窓３は、無目１４、下枠１２及び縦枠１３の下部により形成された四方枠１５の内部に嵌め込まれた窓ガラス（ガラス）１８を有している。
【００１９】
以下において、突出し窓２の構成について説明する。
突出し窓２は、上枠１１、無目１４及び縦枠１３の上部により形成された四方枠１６の内部に配置された障子２Ａを有している。
【００２０】
障子２Ａは、四方枠状に形成された框体２０と、框体２０内に嵌め込まれた窓ガラス２８と、を有している。
【００２１】
図２は、段窓１００の縦断面図である。図３は、段窓１００の突出し窓２部分の横断面図である。
図２及び図３に示すように、框体２０は、左右方向に延在する上框２１及び下框（框材）２２と、上框２１の両端部と下框２２の両端部とをそれぞれ連結し上下方向に延在する縦框２３と、有している。
【００２２】
上框２１、下框２２及び縦框２３における窓ガラス２８に対向する側（内周側）には、それぞれ窓ガラス２８から離間する方向（外周側）に凹むガラス溝（溝部）２７が形成されている。ガラス溝２７内に、窓ガラス２８の周縁部が配置されている。下框２２、縦框２３の屋外側には、それぞれ下押縁３２、縦押縁３３が設けられ、窓ガラス２８の周縁部を屋内側に押圧している。
【００２３】
各縦框２３の上端部は、上框２１の左右方向の端部の下端部に連結されている。各縦框２３の下端部は、下框２２の左右方向の端部の上端部に連結されている。図１に示すように、各縦押縁３３の上端部は、上框２１の左右方向の端部の下端部に連結されている。各縦押縁３３の下端部は、下押縁３２（図２参照。以下同じ。）の左右方向の端部の上端部に連結されている。つまり、上框２１及び下框２２がそれぞれ縦框２３に勝つ、いわゆる横通し（横勝ち）で框体２０は組まれている。
【００２４】
障子２Ａは、四方枠１６や框体２０に設けられた滑車（不図示。以下同じ。）に巻回されたワイヤー（不図示。以下同じ。）で四方枠１６と連結されている。ワイヤーには、障子２Ａを閉じる閉方向の張力が付与されている。障子２Ａは、ダンパー（不図示。以下同じ。）を介して四方枠１６と連結されている。ダンパーには、障子２Ａを開く開方向の力が付与されている。ワイヤーの張力を調整可能な操作部（不図示。以下同じ。）が設けられている。
【００２５】
図１に示す障子２Ａが四方枠１６内を閉塞する閉位置から、操作部を操作すると、ワイヤーに付与された張力が解除され、障子２Ａはダンパーから開方向への力を受ける。これにより、障子２Ａは四方枠１６に対して、上端部を中心にして下端部を屋内外方向に回動可能となる。
【００２６】
次に、下框２２及び下押縁３２の構成について説明する。
図４は、図２の上下方向の中間部の拡大図である。
図４に示すように、下框２２は、上部框板部２２１と、内側框板部２２２と、中間框板部２２３と、下部框部２２４と、外側框板部２２５と、を有している。本実施形態では、下框２２はアルミニウム等の金属部材で構成されている。
【００２７】
上部框板部２２１は、板状に形成されている。上部框板部２２１は、板面を上下方向に向けて配置されている。上部框板部２２１の上面２２１ｕは、四方枠１６の内周面とされている。
【００２８】
内側框板部２２２は、上部框板部２２１の屋内側の端部に接続され、上下方向に延びている。内側框板部２２２は、板状に形成されている。内側框板部２２２は、板面を屋内外方向に向けて配置されている。内側框板部２２２の屋内側の面に、無目１４に設けられた気密材１０９が当接可能とされている。
【００２９】
中間框板部２２３は、上部框板部２２１の屋外側の端部に設けられている。中間框板部２２３は、上部框板部２２１の屋外側の端部から下方に延びている。中間框板部２２３は、板状に形成されている。中間框板部２２３は、板面を屋内外方向に向けて配置されている。
【００３０】
下部框部２２４は、内側框板部２２２の下部と中間框板部２２３の下端部とを接続している。下部框部２２４は、板状をなすとともに、屋内側に上方に凹む凹溝２２６が形成されている。下部框部２２４は、板面を上下方向に向けて配置されている。下部框部２２４の屋外側の端部は、中間框板部２２３よりも屋外側に張り出している。
【００３１】
下部框部２２４は、無目１４の上面１４ｕの上方に空間部Ｓ２を有して配置されている。
【００３２】
外側框板部２２５は、下部框部２２４の屋外側の端部に接続され、上下方向に延びている。外側框板部２２５は、板状に形成されている。外側框板部２２５は、板面を屋内外方向に向けて配置されている。
【００３３】
下部框部２２４は、外側框板部２２５の上端部２２５ｕよりも僅かに下方に接続されている。換言すると、外側框板部２２５の上端部２２５ｕは、下部框部２２４の屋外側の端部よりも上方に突出している。外側框板部２２５の上端部２２５ｕの上面は、上方に向かうにしたがって次第に屋外側に向かうように傾斜している。中間框板部２２３、下部框部２２４及び外側框板部２２５の上端部２２５ｕは、窓ガラス２８の周縁部が配置されるガラス溝２７を構成している。
【００３４】
外側框板部２２５の下端部の屋外側には、下方に突出する突起２２５ｂが設けられている。
【００３５】
下押縁３２は、押縁見付け面部（見付け面部）３２１と、上部壁部３２２と、ガラス係止壁部３２３と、上部嵌合部（内周側嵌合部）３３３と、支持壁部３３４と、下部嵌合部（外周側嵌合部）３３５と、を有している。
【００３６】
押縁見付け面部３２１は、板状に形成されている。押縁見付け面部３２１は、板面を屋内外方向に向けて配置されている。
【００３７】
押縁見付け面部３２１は、下押縁３２の外側框板部２２５の屋外側に沿って配置されている。押縁見付け面部３２１の上下方向の長さは、外側框板部２２５の上下方向に長さよりも長い。押縁見付け面部３２１の上端部３２１ｕは、外側框板部２２５の上端部２２５ｕよりも上方に配置されている。押縁見付け面部３２１の下端部３２１ｂは、外側框板部２２５の下端部（突起２２５ｂ）よりもわずかに下方に配置されている。つまり、押縁見付け面部３２１は、外側框板部２２５の屋外側の面の全部を覆っている。
【００３８】
上部壁部３２２は、押縁見付け面部３２１の上端部３２１ｕから屋内側に向かって延びている。上部壁部３２２は、板状に形成されている。上部壁部３２２は、板面を上下方向に向けて配置されている。
【００３９】
ガラス係止壁部３２３は、上部壁部３２２の屋内側の端部から下方に向かって延びている。ガラス係止壁部３２３は、板状に形成されている。ガラス係止壁部３２３は、板面を屋内外方向に向けて配置されている。ガラス係止壁部３２３のガラス２８との間及び下框２２の中間框板部２２３とガラス２８との間には、シーリング材２８ａがそれぞれ設けられている。
【００４０】
上部嵌合部３３３は、押縁見付け面部３２１の屋内側の面に設けられている。上部嵌合部３３３は、押縁見付け面部３２１において、上部壁部３２２よりも下方に設けられている。
【００４１】
上部嵌合部３３３は、下押縁３２の延在方向（左右方向）にわたって設けられている。上部嵌合部３３３は、押縁見付け面部３２１の屋内側の面から屋内側に延びる内向き壁部３３３ａと、内向き壁部３３３ａの屋内側の端部から下方に延びる下向き壁部３３３ｂと、を有している。
【００４２】
上部嵌合部３３３は、ガラス溝２７を構成する下框２２の外側框板部２２５の上端部２２５ｕに嵌合されている。
【００４３】
押縁見付け面部３２１及び上部嵌合部３３３で形成された隙間内に、外側框板部２２５の上端部２２５ｕが配置されている。上部嵌合部３３３の内向き壁部３３３ａは、外側框板部２２５の上端部２２５ｕの上端面に当接配置されている。上部嵌合部３３３の下向き壁部３３３ｂは、外側框板部２２５の上端部２２５ｕの屋内側の面に当接配置されている。
【００４４】
支持壁部３３４は、押縁見付け面部３２１の屋内側の面に設けられている。支持壁部３３４は、押縁見付け面部３２１において、上部嵌合部３３３よりも下方に設けられている。支持壁部３３４の先端部（屋内側の端部）は、下框２２の外側框板部２２５の屋内側の面に当接可能またはわずかに隙間を有して配置されている。
【００４５】
下部嵌合部３３５は、押縁見付け面部３２１の屋内側の面に設けられている。下部嵌合部３３５は、上部嵌合部３３３と上下方向（下框２２の内周側と外周側とを結ぶ方向）に離間して配置されている。本実施形態では、下部嵌合部３３５は、押縁見付け面部３２１の下端部３２１ｂに設けられている。
【００４６】
下部嵌合部３３５は、下押縁３２の延在方向（左右方向）にわたって設けられている。下部嵌合部３３５は、押縁見付け面部３２１の屋内側の面から屋内側に延びる内向き壁部３３５ａと、内向き壁部３３５ａの屋内側の端部から上方に突出する突起３３５ｂと、を有している。
【００４７】
下部嵌合部３３５は、下框２２の外側框板部２２５の突起２２５ｂに嵌合されている。押縁見付け面部３２１及び下部嵌合部３３５で形成された隙間内に、外側框板部２２５の突起２２５ｂが挟み込まれている。下部嵌合部３３５の内向き壁部３３５ａは、外側框板部２２５の突起２２５ｂの下端面に当接配置されている。下部嵌合部３３５の突起３３５ｂは、外側框板部２２５の突起２２５ｂの屋内側の面に当接配置されている。
【００４８】
下押縁３２の屋外側への移動は、上部嵌合部３３３の下向き壁部３３３ｂと外側框板部２２５の上端部２２５ｕとの係止、及び下部嵌合部３３５の突起３３５ｂと外側框板部２２５の突起２２５ｂとの係止により規制されている。下押縁３２の下方への移動は、上部嵌合部３３３の内向き壁部３３３ａと外側框板部２２５の上端部２２５ｕとの係止により規制されている。下押縁３２の上方への移動は、下部嵌合部３３５の内向き壁部３３５ａと外側框板部２２５の突起２２５ｂとの係止により規制されている。このようにして、下押縁３２は、下框２２に取り付けられている。
【００４９】
上部嵌合部３３３と下部嵌合部３３５は、屋内外方向に略同一位置に配置されている。このため、下押縁３２を下框２２に嵌め込む際に、上部嵌合部３３３と下部嵌合部３３５が一度に嵌まり、嵌め込みやすい。
【００５０】
このように構成された段窓１００の突出し窓２では、上部嵌合部３３３及び下部嵌合部３３５が、下框２２と上下方向に離間した２箇所で嵌合することで、下押縁３２が下框２２に取り付けられている。下押縁３２の押縁見付け面部３２１が下框２２の外側框板部２２５の屋外側の面の全部を覆うため、屋外側から見ると、下框２２は下押縁３２に隠れて見えず、意匠性が良い。また、下押縁３２と下框２２との境界部分が屋外側に露出することがないため、境界部分からの雨水の浸入を抑制して、水密性を高めることができる。
【００５１】
また、上部嵌合部３３３は下框２２のガラス溝２７を構成する外側框板部２２５の上端部２２５ｕに嵌合するため、下押縁３２のガラス溝２７内での位置ずれが抑制され、下押縁３２がガラス２８を屋内側に押圧した状態を維持することができる。
【００５２】
また、下部嵌合部３３５は下框２２の外側框板部２２５の下端部（突起２２５ｂ）に嵌合するため、下押縁３２の下部での位置ずれが抑制される。
【００５３】
また、上部嵌合部３３３及び下部嵌合部３３５は押縁見付け面部３２１の屋内側の面に設けられているため、上部嵌合部３３３及び下部嵌合部３３５は下押縁３２の押縁見付け面部３２１に隠れて見えず、意匠性をさらに高めることができる。
【００５４】
次に、本発明の一実施形態の変形例に係る建具について、主に図５を用いて説明する。
なお、本変形例の説明において、前述した部材と同一の部材には同一の符号を付して、その説明を省略する。
図５は、本発明の一実施形態の変形例に係る建具の縦断面図における上下方向の中間部の拡大図である。
図５に示すように、本変形例に係る突出し窓２Ｘは、下框２２に設けられたハンドル２６により開閉可能な手動式の建具である。
【００５５】
図５に示すように、本変形例では、外側框板部２２５の下端部２２５ｃの屋内側の面は、下方に向かうにしたがって次第に屋外側に向かうように傾斜している。
【００５６】
下押縁３２Ｘは、押縁見付け面部（見付け面部）３４１と、上部壁部３２２と、ガラス係止壁部３２３と、上部嵌合部（内周側嵌合部）３４２と、支持壁部３３４と、下部嵌合部（外周側嵌合部）３４５と、を有している。
【００５７】
押縁見付け面部３４１は、板状に形成されている。押縁見付け面部３４１は、板面を屋内外方向に向けて配置されている。押縁見付け面部３４１の上端部３４１ｕに、上部壁部３２２が接続されている。押縁見付け面部３４１の屋内側の面に、支持壁部３３４が設けられている。
【００５８】
押縁見付け面部３４１は、下押縁３２Ｘの外側框板部２２５の屋外側に沿って配置されている。押縁見付け面部３４１の上下方向の長さは、外側框板部２２５の上下方向に長さよりも長い。押縁見付け面部３４１の上端部３４１ｕは、外側框板部２２５の上端部２２５ｕよりも上方に配置されている。押縁見付け面部３４１の下端部３４１ｂは、外側框板部２２５の下端部２２５ｃよりも下方に配置されている。つまり、押縁見付け面部３４１は、外側框板部２２５の屋外側の面の全部を覆っている。
【００５９】
上部嵌合部３４２は、押縁見付け面部３４１の屋内側の面に設けられている。上部嵌合部３４２は、押縁見付け面部３４１において、上部壁部３２２よりも下方に設けられている。
【００６０】
上部嵌合部３４２は、下押縁３２Ｘの延在方向（左右方向）にわたって設けられている。上部嵌合部３４２は、押縁見付け面部３４１の屋内側の面から屋内側に延びる内向き壁部３４２ａと、内向き壁部３４２ａの屋内側の端部から下方に延びる下向き壁部３４２ｂと、を有している。
【００６１】
上部嵌合部３４２は、ガラス溝２７を構成する外側框板部２２５の上端部２２５ｕに嵌合されている。
【００６２】
押縁見付け面部３４１及び上部嵌合部３４２で形成された隙間内に、下框２２の外側框板部２２５の上端部２２５ｕが配置されている。上部嵌合部３４２の下向き壁部３４２ｂは、外側框板部２２５の上端部２２５ｕの屋内側の面に当接配置されている。
【００６３】
下部嵌合部３４５は、押縁見付け面部３４１の屋内側の面に設けられている。下部嵌合部３４５は、支持壁部３３４よりも下方且つ下端部３４１ｂよりも上方に設けられている。
【００６４】
下部嵌合部３４５は、下押縁３２Ｘの延在方向（左右方向）にわたって設けられている。下部嵌合部３４５は、押縁見付け面部３４１の屋内側の面から屋内側に延びる内向き壁部３４５ａと、内向き壁部３４５ａの屋内側の端部から上方に突出する突起３４５ｂと、を有している。
【００６５】
下部嵌合部３４５は、下框２２の外側框板部２２５の下端部２２５ｃに嵌合されている。下部嵌合部３４５の突起３４５ｂの屋外側の面に、外側框板部２２５の下端部２２５ｃが係止されている。下部嵌合部３４５の内向き壁部３４５ａは、外側框板部２２５の下端部２２５ｃの下端面に当接配置されている。
【００６６】
このように構成された段窓１００の突出し窓２Ｘでは、上部嵌合部３４２及び下部嵌合部３４５が、下框２２と上下方向に離間した２箇所で嵌合することで、下押縁３２Ｘが下框２２に取り付けられている。下押縁３２Ｘの押縁見付け面部３４１の上端部３４１ｕは下框２２の外側框板部２２５の上端部２２５ｕよりも上方に配置されるとともに、押縁見付け面部３４１の下端部３４１ｂは外側框板部２２５の下端部２２５ｃよりも下方に配置されている。よって、下押縁３２Ｘの押縁見付け面部３４１が下框２２の外側框板部２２５の屋外側の面の全部を覆うため、屋外側から見ると、下框２２は下押縁３２Ｘにより確実に隠れて見えず、意匠性が良い。また、下押縁３２Ｘと下框２２との境界部分が屋外側に露出することがないため、境界部分からの雨水の浸入を抑制して、水密性を高めることができる。
【００６７】
なお、上述した実施の形態において示した各構成部材の諸形状や組み合わせ等は一例であって、本発明の主旨から逸脱しない範囲において設計要求等に基づき種々変更可能である。
【００６８】
例えば、上記に示す実施形態では、下框２２に設けられた下押縁３２について説明したが、本発明はこれに限られず、上框や縦框であってもよい。さらには、ＦＩＸ窓（嵌め殺し窓）等の建具の下枠、上枠及び縦枠等の枠材の少なくともいずれかに形成された溝部に嵌め込まれた押縁が、見付け面部と、嵌合部とを有する構成であってもよい。
【００６９】
また、上記に示す実施形態では、突出し窓２について説明したが、本発明はこれに限られず、開きドアやＦＩＸ窓にも適用可能である。また、上記に示す実施形態では、突出し窓２がＦＩＸ窓３と上下方向に並んで配置された段窓１００について説明したが、本発明はこれに限られず、一の窓のみが設置される構成や、複数の窓が左右方向に並んで配置された連窓であってもよい。
【符号の説明】
【００７０】
１…段窓枠体
２…突出し窓
２Ａ…障子
３…ＦＩＸ窓
１１…上枠
１２…下枠
１３…縦枠
１４…無目
１６…四方枠
２０…框体
２１…上框
２２…下框（框材）
２３…縦框
２７…ガラス溝（溝部）
２８…窓ガラス
３２…下押縁
３３…縦押縁
１００…段窓
３２１…押縁見付け面部（見付け面部）
３３３…上部嵌合部（内周側嵌合部）
３３５…下部嵌合部（外周側嵌合部）
【図１】
2019173357.tif 000003
【図２】
2019173357.tif 000004
【図３】
2019173357.tif 000005
【図４】
2019173357.tif 000006
【図５】
2019173357.tif 000007